(57)【要約】【課題】ホスト機器の負担を大きくすることなく、かつ複数のメモリカードがそれぞれデータを分割管理することなくメモリカードの容量を拡張する。【解決手段】ホスト機器１００とのインターフェースを行う第１カード側インターフェース１０２および第１カードインターフェースコントローラ１０３と、挿入された第２メモリカード１１４とのインターフェースを行う第１ホスト側メモリカードインターフェース１０８および第１ホストインターフェースコントローラ１０７と、第２メモリカードの挿入時に第１メモリカードの容量情報を更新し、第２メモリカードを含む複数のメモリカードの容量情報を保持するカード情報保持部１０６とを備える。【選択図】  図１
2004258746.tif 000002
【特許請求の範囲】
【請求項１】
ホスト機器に挿入可能なメモリカードの記憶容量を拡張するメモリカード容量拡張方法であって、
前記メモリカードに設けた挿入口に新たなメモリカードを挿入し、前記新たなメモリカードの容量を加算して記憶容量を拡張するメモリカード容量拡張方法。
【請求項２】
ホスト機器に挿入可能なメモリカード装置であって、
前記ホスト機器とのインターフェースを行う第１のインターフェース手段と、
挿入された新たなメモリカードとのインターフェースを行う第２のインターフェース手段と、
前記新たなメモリカードの挿入時にメモリカードの容量情報を更新し、前記新たなメモリカードを含む複数のメモリカードの容量情報を保持するカード情報保持手段と、
を備えるメモリカード装置。
【請求項３】
前記新たなメモリカードの挿入時に前記第２のインターフェースを介して前記新たなメモリカードとの間でメモリ以外の機能を共有する手段を備える請求項２記載のメモリカード装置。
【請求項４】
前記機能は著作権保護機能である請求項３記載のメモリカード装置。
【請求項５】
前記機能は通信機能である請求項３記載のメモリカード装置。
【請求項６】
請求項２から５のいずれか一項記載のメモリカード装置を複数接続し、各メモリカード装置の容量を加算した記憶容量を有するメモリカードシステム。
【請求項７】
請求項２から５のいずれか一項記載のメモリカード装置の記憶容量を拡張するプログラムであって、
前記新たなメモリカードの容量情報を取得する手段、前記ホスト機器に挿入されているメモリカードの容量と前記新たなメモリカードの容量とを加算して前記新たなメモリカードを含む複数のメモリカードの記憶容量を更新する手段としてメモリカードのコンピュータを機能させるプログラム。
【発明の詳細な説明】
【０００１】
【発明の属する技術分野】
本発明は、ホスト機器に挿入してホスト機器からのデータを記録するメモリカード容量拡張方法およびメモリカード装置に関する。
【０００２】
【従来の技術】
従来、ホスト機器に挿入したメモリカードの容量を拡張する場合、ホスト機器にメモリカードを挿入するための挿入口を複数設け、挿入した１つのメモリカードの容量が不足する場合は、もう一枚のメモリカードを別の挿入口に挿入して、全体としてメモリカードの容量を拡張していた（例えば、特許文献１参照）。
【０００３】
図８は従来のメモリカードの容量拡張方法を実現するシステムを示す構成図である。図８に示すように、ホスト機器８００は、第１メモリカード挿入用の挿入口８０２および第２メモリカード挿入用の挿入口８０３と、基本メモリ８０１とを備える。また、ホスト機器８００とは独立して、第１メモリカード８０４および第２メモリカード８０６が用意されている。第１メモリカード８０４、第２メモリカード８０６はそれぞれメモリを搭載する。
【０００４】
【特許文献１】
特開平４−９８３３５号公報（第１頁〜第４頁、図１）
【０００５】
【発明が解決しようとする課題】
しかしながら、ホスト機器に複数の挿入口を設けてメモリカードの容量を拡張する場合、ホスト機器の負担が大きくなることやデータが複数のカードに分割されてしまいアクセス管理が複雑になるという問題があった。
【０００６】
本発明は、上記従来の問題を解決するもので、ホスト機器の負担を大きくすることなく、かつ複数のメモリカードがそれぞれデータを分割管理することなくメモリカードの容量を拡張することができるメモリカード容量拡張方法およびメモリカード装置を提供することを目的とする。
【０００７】
【課題を解決するための手段】
上記目的を達成するために本発明は、メモリカードに設けた挿入口に挿入した新たなメモリカードの容量を加算して記憶容量を拡張するものである。この構成により、ホスト機器の負担を大きくすることなく、かつ複数のメモリカードがデータを分割管理することなくメモリカードの容量を拡張することができる。
【０００８】
【発明の実施の形態】
本発明の第１の態様は、ホスト機器に挿入可能なメモリカードの記憶容量を拡張するメモリカード容量拡張方法であって、前記メモリカードに設けた挿入口に新たなメモリカードを挿入し、前記新たなメモリカードの容量を加算して記憶容量を拡張するものである。
【０００９】
上記構成によれば、メモリカードの記憶容量が不足した場合、メモリカードの挿入口に新たなメモリカードを挿入することで、メモリカードの容量に新たなメモリカードの容量を加算して記憶容量を更新することができる。
【００１０】
本発明の第２の態様は、ホスト機器に挿入可能なメモリカード装置であって、前記ホスト機器とのインターフェースを行う第１のインターフェース手段と、挿入された新たなメモリカードとのインターフェースを行う第２のインターフェース手段と、前記新たなメモリカードの挿入時にメモリカードの容量情報を更新し、前記新たなメモリカードを含む複数のメモリカードの容量情報を保持するカード情報保持手段とを備えるものである。
【００１１】
上記構成によれば、メモリカードの記憶容量が不足した場合、メモリカードの挿入口に新たなメモリカードを挿入することで、カード情報保持手段のメモリカードの容量情報を新たなメモリカードを含む複数のメモリカードの容量情報で更新して記憶容量を拡張することができる。
【００１２】
本発明の第３の態様は、請求項２記載のメモリカード装置において、前記新たなメモリカードの挿入時に前記第２のインターフェースを介して前記新たなメモリカードとの間でメモリ以外の機能を共有する手段を備えるものである。
【００１３】
上記構成によれば、ホスト機器に挿入されたメモリカードがメモリ以外の機能を備え、新たなメモリカードがメモリ以外の機能を備えていない場合、または新たなメモリカードが必要なメモリ以外の機能を備え、ホスト機器に挿入されたメモリカードがメモリ以外の機能を備えない場合でも、一方のメモリカードが備える機能を他方のメモリカードとの間で共有することで、新たなメモリカードを含む複数のメモリカード全体で必要な機能を得ることができる。
【００１４】
本発明の第４の態様は、請求項３記載のメモリカード装置において、前記機能は著作権保護機能である。
【００１５】
上記構成によれば、一方のメモリカードが著作権保護機能を備えていない場合でも、他方のメモリカードの着権保護機能を共有することで、複数のメモリカード全体で著作権保護機能を得ることができる。
【００１６】
本発明の第５の態様は、請求項３記載のメモリカード装置において、前記機能は通信機能である。
【００１７】
上記構成によれば、一方がメモリカードが通信機能（ＰＨＳ、ＧＰＳ、Ｂｌｕｅｔｏｏｔｈ等）を備えていない場合でも、他方のメモリカードの通信機能を共有することで、複数のメモリカード全体で通信機能を得ることができる。
【００１８】
本発明の第６の態様は、請求項２から５のいずれか一項記載のメモリカード装置を複数接続し、各メモリカード装置の容量を加算した記憶容量を有するメモリカードシステムである。
【００１９】
上記構成によれば、複数のメモリカードの接続により、必要な記憶容量を拡張できる。
【００２０】
本発明の第７の態様は、請求項２から５のいずれか一項記載のメモリカード装置の記憶容量を拡張するプログラムであって、前記新たなメモリカードの容量情報を取得する手段、前記ホスト機器に挿入されているメモリカードの容量と前記新たなメモリカードの容量とを加算して前記新たなメモリカードを含む複数のメモリカードの記憶容量を更新する手段としてメモリカードのコンピュータを機能させるものである。
【００２１】
上記構成によれば、メモリカードの記憶容量拡張をソフトウェアで実現することができる。
【００２２】
以下、本発明の実施の形態について、図面を参照して詳細に説明する。
（実施の形態１）
図１は、本発明の実施の形態１に係るメモリカード装置を示す構成図である。図１において、１００はメモリカード挿入口１００ａを有する音楽データ再生装置等のホスト機器、１０１はホスト機器１００に挿入し、データの記憶やデータの取得を行う第１メモリカード、１１４は第１メモリカード１０１に挿入し、第１メモリカードの容量を拡張するための第２メモリカード、１１５は第１メモリカード１０１に第２メモリカード１１４を挿入し、一体となった状態のメモリカードである。
【００２３】
第１メモリカード１０１は、ホスト機器１０１とのインターフェースを行う第１カード側メモリカードインタフェース１０２と、ホスト機器１０１からの命令に応答するための第１カードインタフェースコントローラ１０３と、データの記憶制御を行う第１メモリコアインタフェース１０４と、第１メモリカード１０１の記憶容量や製造番号等の内部情報を保持する第１カード情報記憶部１０６と、データを記憶する第１メモリコア部１０５と、第２メモリカード１１４を制御するための第１ホストインタフェースコントローラ１０７と、第２メモリカード１１４とのインターフェースを行う第１ホスト側メモリカードインタフェース１０８とを備える。
【００２４】
第２メモリカード１１４は、第１ホスト側メモリカードインタフェース１０８に対応する第２カード側メモリカードインタフェース１０９と、第１ホストインターフェースコントローラ１０８からの命令に応答する第２カードインタフェースコントローラ１１０と、第２メモリカード１１４の記憶容量や製造番号等の内部情報を保持する第２カード情報保持部１１１と、データ記憶を制御するための第２メモリコアインタフェース１１２と、データを記憶する第２メモリコア部１１３とを備える。
【００２５】
図２は上記構成の動作を示すフローチャートである。まず、ホスト機器１００に第１メモリカード１０１を挿入する（ＳＴ１００）。ホスト機器１００は第１メモリカード１０１を初期化し、第１メモリカード１０１の容量を取得する（ＳＴ１１０）。第１メモリカード１０１の記憶容量が不足している場合は、第１メモリカード１０１の挿入口１０１ａに第２メモリカード１１４を挿入する（ＳＴ１２０）。
【００２６】
第１メモリカード１０１に第２メモリカード１１４が挿入されると、第１メモリカード１０１の第１ホストメモリカードインタフェースコントローラ１０７は、第１ホスト側メモリカードインタフェース１０８を介して第２メモリカード１１４を初期化する（ＳＴ１３０）。第２メモリカード１１４の第２カードインタフェースコントローラ１１０は、第２カード側メモリカードインタフェース１０９を介して第１メモリカード１０１からの初期化処理に応答する（ＳＴ１４０）。第１メモリカード１０１は、第２メモリカード１１４の第２カード情報保持部１１１に記憶されている容量情報を初期化処理で取得する（ＳＴ１５０）。
【００２７】
第１メモリカード１０１は、第１ホストインタフェースコントローラ１０７が第２カード情報記憶部１１１から第２メモリカード１１４の容量を取得した後、第１メモリカード１０１の容量に第２メモリカード１１４の容量を加算し、第１カード情報保持部１０６に記録されている容量情報を更新する（ＳＴ１６０）。その後、メモリカードの容量が更新されたことを、第１カードインタフェースコントローラ１０３が第１カード側メモリカードインタフェース１０２を介してホスト機器１００に通知する（ＳＴ１７０）。
【００２８】
ホスト機器１００は、メモリカードの容量が更新された通知を受けると、第１メモリカード１０１に第２メモリカード１１４が挿入され一体となった状態のメモリカード１１５の初期化を行い、第２メモリカード１１４の容量が加算された第１メモリカード１０１の容量を取得する（ＳＴ１８０）。
【００２９】
ホスト機器１００から一体となった状態のメモリカード１１５に対してデータを記録させたい場合、ホスト機器１００からの命令を第１カード側メモリカードインタフェース１０２を介して受け、第１カードインタフェースコントローラ１０３が第１メモリコアインタフェース１０４を制御し、第１メモリコア部１０５へデータの書き込みを行う。
【００３０】
例えば、第１メモリコア部１０５の容量が不足しデータを記録できない場合は、第１ホストインタフェースコントローラ１０７から書き込み命令を第１ホスト側メモリカードインタフェース１０８と繋がる第２カード側メモリカードインタフェース１０９を通して、第２カードインタフェースコントローラ１１０に伝える。第２カードインタフェースコントローラ１１０は第２メモリコアインタフェース１１２を制御して、第２メモリコア部１１３へデータの書き込みを行う。
【００３１】
第１メモリカード１０１および第２メモリカード１１４が一体となった状態のメモリカード１１５は、第１メモリカード１０１に第２メモリカード１１４を挿入した状態であるので、ホスト機器１００はこれらのメモリカードを１つのメモリカードとして認識し、複数のメモリカードにデータを記録しているようには見えないことになる。
【００３２】
このように本実施の形態によれば、ホスト機器の負担を大きくすることなく、第１メモリカード１０１に第２メモリカード１１４を挿入するだけで、複数のメモリカードがデータを分割管理することなく複数のメモリカード一体で管理し容易に記憶容量を拡張することができる。
【００３３】
（実施の形態２）
図３は、本発明の実施の形態２に係るメモリカード装置を示す外観図であり、（ａ）は第１メモリカード３００を示し、（ｂ）は第１メモリカード３００の挿入口３０１に第２メモリカード３０２を挿入する状態を示し、（ｃ）は第１メモリカード３００に第２メモリカード３０２を挿入し、一体となった状態を示す。
【００３４】
第１メモリカード３００の容量不足時において、第２メモリカード３０２を第１メモリカード３００のメモリカード挿入用の挿入口３０１に、図３（ｂ）の矢示方向に挿入する。第１メモリカード３００は第２メモリカード３０２が挿入されると、第２メモリカード３０２を初期化し、第２メモリカード３０２の容量を計算する。第１メモリカード３００は計算した第２メモリカード３０２の容量を第１メモリカード３００の容量に加算した値を、第１メモリカード３００に第２メモリカード３０２が挿入され一体となった状態のメモリカード３０３の全容量値として更新する。
【００３５】
このように本実施の形態によれば、第１メモリカード３００に第２メモリカード３０２を挿入することで、容易に容量を拡張することができる。
【００３６】
（実施の形態３）
図４は本発明の実施の形態３に係るメモリカード装置が用いられるシステムを示す構成図である。図４において、４００は音楽ＣＤ、４０１は音楽ＣＤ録音機器、４０２は音楽ＣＤ録音機器４０１で音楽ＣＤ４００のデータを取り込んだ著作権保護を必要とする音楽データ、４０３は音楽データ４０２を記憶するためのメモリカードが挿入されるメモリカード挿入口である。また、４０４は音楽データを記憶するための第１メモリカードであり著作権保護機能を備える。４０５は第１メモリカードの容量不足時に容量を拡張するための第２メモリカードであり、著作権保護機能を備えていない。
【００３７】
上記構成において、ホスト機器である音楽ＣＤ録音機器４０１に音楽ＣＤ４００を挿入して音楽データ４０２を再生し、音楽ＣＤ録音機器４０１のメモリカード挿入用の挿入口４０３に、著作権保護機能を備えていない第２メモリカード４０５を挿入した場合、音楽データ４０２が著作権保護を必要とするため、第２メモリカードには音楽データ４０２を記録することができない。このような場合、メモリカード挿入用の挿入口４０３に著作権保護機能を備えた第１メモリカード４０４を挿入して音楽データ４０２を取り込む。
【００３８】
音楽ＣＤ４００から取り込んだ音楽データ４０２が、第１メモリカード４０４の空き容量より大きいデータであった場合、音楽ＣＤ録音機器４０１に挿入されている第１メモリカード４０４の挿入口に、第２メモリカード４０５を挿入する。第１メモリカード４０４は第２メモリカード４０５のカード容量を取得し、第１メモリカード４０４の容量に第２メモリカード４０５の容量を加算し、第１メモリカードの容量情報を更新する。
【００３９】
音楽ＣＤ録音機器４０１は、第１メモリカード４０４の容量に第２メモリカード４０５の容量を加算した容量の情報を取得するため、第１メモリカード４０４の空き容量より大きい音楽データ４０２や著作権保護を必要とする情報を記録することができる。
【００４０】
このように本実施の形態によれば、著作権保護機能を備えないメモリカードに著作権保護を必要とする音楽データを記録する場合は、著作権保護機能を備えたメモリカードに著作権保護機能を備えないメモリカードを挿入して２つのメモリカード間で著作権保護機能を共有する。これにより、メモリカードの容量を拡張することができるとともに、著作権保護を必要とするコンテンツデータを記録することが可能になる。なお、著作権保護機能を備えないメモリカードに著作権保護機能を備えたメモリカードを挿入して２つのメモリカード間で著作権保護機能を共有することも可能である。
【００４１】
（実施の形態４）
図５は本発明の実施の形態４に係るメモリカード装置が用いられるシステムを示す構成図である。図５において、５００はカメラ機器、５０１はカメラ機器５００で撮影した動画像データ、５０２は動画像データ５０１を記憶するためのメモリカードが挿入されるメモリカード挿入挿入口である。また、５０３は動画像データを記憶するための第１メモリカードであり、メモリカードインターフェースを利用してデータ通信を行う通信機能を追加したＰＨＳ回路５０４を備える。５０５は第１メモリカードの容量不足時に容量を拡張するための第２メモリカードであり通信機能を備えていない。また、５０６はＰＨＳ端末であり、カメラ機器５００で撮影した動画像データを受信して動画像５０７を表示する。
【００４２】
上記構成において、カメラ機器５００で動画像データ５０１を記録し、ＰＨＳ端末５０６に動画像データ５０１を送信したい場合、カメラ機器５００のメモリカード挿入用の挿入口５０２に第２メモリカード５０５を挿入しても、カメラ機器５００や第２メモリカード５０５に通信機能がないため、ＰＨＳ端末５０６へ動画像データを送信することができない。このような場合、カメラ機器５００のメモリカード挿入用の挿入口５０２に通信機能を備えた第１メモリカード５０３を挿入し動画像データ５０１を記録する。
【００４３】
動画像データ５０１が、第１メモリカード５０３の容量より大きいデータであった場合、カメラ機器５００に挿入されている第１メモリカード５０３の挿入口に、第２メモリカード５０５を挿入する。第１メモリカード５０３は第２メモリカード５０５のカード容量を取得し、第１メモリカード５０３の容量に第２メモリカード５０５の容量を加算し、第１メモリカードの容量情報を更新する。
【００４４】
カメラ機器５００は、第１メモリカード５０３の容量に第２メモリカード５０５の容量を加算した容量の情報を取得するため、第１メモリカード５０３の空き容量より大きい動画像データ５０１を記録することができる。また、第１メモリカード５０３のＰＨＳ回路５０４を介してＰＨＳ端末５０６に動画像データ５０１を送信することができる。
【００４５】
このように本実施の形態によれば、通信機能を備えないメモリカードに記憶したデータを送信する場合は、通信機能を備えたメモリカードに通信機能を備えないメモリカードを挿入して２つのメモリカード間で通信機能を共有する。これにより、メモリカードの容量を拡張することができるとともに、通信機能を備えないメモリカードに記憶したデータを送信することができる。なお、通信機能を備えないメモリカードに通信機能を備えたメモリカードを挿入して２つのメモリカード間で通信機能を共有することも可能である。
【００４６】
（実施の形態５）
図６は本発明の実施の形態５に係るメモリカードシステムを示す構成図である。図６において、６００は第１メモリカード、６０１は第１メモリカード６００と同じ構成の第２メモリカード、６０２は第１メモリカード６００と同じ構成の第３メモリカード、６０３は第４メモリカードである。
【００４７】
上記構成において、第１メモリカード６００の容量不足時に、第１メモリカード６００の挿入口６００ａに第２メモリカード６０１を挿入する。第１メモリカード６００は第２メモリカード６０１を初期化し、第２メモリカード６０１の容量を計算する。第１メモリカード６００は、自身の容量に第２メモリカード６０１の容量を加算し、容量を拡張する。
【００４８】
さらに容量が不足した場合、第２メモリカード６０１の挿入口６０１ａに第３メモリカード６０２を挿入する。第２メモリカード６０１は第３メモリカード６０２を初期化し、第３メモリカード６０２の容量を計算する。第２メモリカード６０１は、自身の容量に第３メモリカード６０２の容量を加算して容量を拡張し、第１メモリカード６００に容量が更新されたことを通知する。第１メモリカード６００は、自身の容量に第３メモリカード６０２の容量が加算された第２メモリカード６０１の容量を加算し、容量を拡張する。
【００４９】
さらに容量が不足した場合、第３メモリカード６０２の挿入口６０２ａに第４メモリカード６０３を挿入する。第３メモリカード６０２は第４メモリカード６０３の容量を計算し、自身の容量に第４メモリカード６０３の容量を加算して容量を拡張し、第２メモリカード６０１に容量が拡張されたことを通知する。
【００５０】
第２メモリカード６０１は、第４メモリカード６０３の容量が加算された第３メモリカード６０２の容量が更新された通知を受けると、第４メモリカード６０３の容量が加算された第３メモリカード６０２の容量を計算し、第２メモリカード６０１の容量に第４メモリカード６０３の容量が加算された第３メモリカード６０２の容量を加算し、第２メモリカード６０１の容量が更新されたことを第１メモリカード６００に通知する。
【００５１】
第１メモリカード６００は、第３メモリカード６０２の容量が加算された第２メモリカード６０１の容量が更新された通知を受けると、第３メモリカード６０２の容量が加算された第２メモリカード６０１の容量を計算し、第１メモリカード６０１の容量に第３メモリカード６０２の容量が加算された第２メモリカード６０１の容量を加算し、容量を拡張する。
【００５２】
このように本実施の形態によれば、第１メモリカードと同じ構成の第２メモリカードを第１メモリカードに挿入し、第１メモリカードと同じ構成の第３メモリカードを第２メモリカードに挿入するようにして、複数のメモリカードを順次接続していくことで、必要な記憶容量を拡張することができる。
【００５３】
（実施の形態６）
本発明の実施の形態６に係るメモリカード装置では、第１メモリカードに第２メモリカード以降のメモリカードを複数枚接続し、第１メモリカードの容量に第２メモリカード以降の容量を加算して第２メモリカード以降のメモリカードを含む複数のメモリカードの記憶容量を更新する方法をソフトウェアで実現する。
【００５４】
このように本実施の形態によれば、第１メモリカードに第２メモリカード以降のメモリカード以降のメモリカードを複数枚接続することで、必要な記憶容量を拡張することができる。
【００５５】
（実施の形態７）
図７は本発明の実施の形態７に係るメモリカード装置を用いたシステムを示す構成図である。図７において、７００は音楽ＣＤ、７０１は音楽録音再生システム、７０２は音楽ＣＤ７００が挿入される音楽ＣＤ用挿入口、７０３は音楽録音再生システム７０１を制御する音楽録音再生コントローラ、７０４は音楽ＣＤ７００の音楽データを記録するメモリカードが挿入されるメモリカード挿入用挿入口である。また、７０５は音楽ＣＤ７００からの音楽データを記録するための第１メモリカード、７０６は第１メモリカードの容量不足時に容量を拡張するための第２メモリカードである。
【００５６】
上記構成において、音楽ＣＤ７００を音楽録音再生システム７０１の挿入口７０２に挿入し、第１メモリカード７０５をメモリカード挿入用の挿入口７０４に挿入する。音楽録音再生システム７０１は音楽ＣＤ７００の音楽データを音楽録音再生コントローラ７０３を用いて第１メモリカード７０５に記憶する。
【００５７】
第１メモリカード７０５の容量不足時に、第１メモリカード７０５に第２メモリカード７０６を挿入する。第１メモリカード７０５は第２メモリカード７０６の容量を計算し、自身の容量に第２メモリカード７０５の容量を加算し、容量情報を更新する。
【００５８】
第１メモリカード７０５は容量が更新されたことを音楽録音再生システム７０１に通知し、音楽録音再生システム７０１は第１メモリカード７０５の容量に第２メモリカード７０６の容量を加算した容量を取得し、音楽ＣＤ７００からの音楽データを第１メモリカード７０５に第２メモリカード７０６が挿入され一体となった状態のメモリカードに記録する。
【００５９】
このように本実施の形態によれば、音楽ＣＤの音楽データを第１メモリカードに記録する場合において、第１メモリカードの容量不足時に第２メモリカードを挿入することで、メモリカードの容量を拡張し音楽データを記録することができる。さらに、第１メモリカードと同じ構成のメモリカードを挿入して複数枚のメモリカードを接続することで、必要な容量を拡張することができる。
【００６０】
【発明の効果】
以上説明したように、本発明によれば、メモリカードの記憶容量が不足した場合、メモリカードの挿入口に新たなメモリカードを挿入することで、メモリカードの容量に新たなメモリカードの容量を加算して記憶容量を更新することができる。
【００６１】
さらに、一方のメモリカードが著作権保護機能を備えていない場合でも、他方のメモリカードの着権保護機能を共有することで、複数のメモリカード全体で著作権保護機能を得ることができる。また、一方がメモリカードが通信機能（ＰＨＳ、ＧＰＳ、Ｂｌｕｅｔｏｏｔｈ等）を備えていない場合でも、他方のメモリカードの通信機能を共有することで、複数のメモリカード全体で通信機能を得ることができる。さらに、複数のメモリカードの接続により、必要な記憶容量を拡張できる。
【図面の簡単な説明】
【図１】本発明の実施の形態１に係るメモリカード装置を示す構成図。
【図２】本発明の実施の形態１に係るメモリカード装置の容量拡張手順を示すフローチャート。
【図３】本発明の実施の形態２に係るメモリカード装置の外観図であり、（ａ）は第１メモリカードを示し、（ｂ）は第１メモリカードの挿入口に第２メモリカードを挿入する状態を示し、（ｃ）は第１メモリカードに第２メモリカードを挿入し、一体となった状態を示す。
【図４】本発明の実施の形態３に係るメモリカード装置が用いられるシステムを示す構成図。
【図５】本発明の実施の形態４に係るメモリカード装置が用いられるシステムを示す構成図。
【図６】本発明の実施の形態５に係るメモリカードシステムを示す構成図。
【図７】本発明の実施の形態７に係るメモリカード装置を用いたシステムを示す構成図。
【図８】従来のメモリカードの容量拡張方法を実現するシステムを示す構成図。
【符号の説明】
１００  ホスト機器
１０１  第１メモリカード
１０２  第１カード側メモリカードインターフェース
１０３  第１カードインターフェースコントローラ
１０４  第１メモリコアインターフェース
１０５  第１メモリコア部
１０６  第１カード情報保持部
１０７  第１ホストインタフェースコントローラ
１０８  第１ホスト側メモリカードインターフェース
１０９  第２カード側メモリカードインターフェース
１１０  第２カードインターフェースコントローラ
１１１  第２カード情報保持部
１１２  第２メモリコアインターフェース
１１３  第２メモリコア部
１１４  第２メモリカード
１１５  一体となった状態のメモリカード
３００  第１メモリカード
３０２  第２メモリカード
３０３  一体となった状態のメモリカード
４００  音楽ＣＤ
４０１  音楽ＣＤ録音機器
４０２  音楽データ
４０４  第１メモリカード
４０５  第２メモリカード
５００  カメラ機器
５０１  動画像データ
５０３  第１メモリカード
５０４  ＰＨＳ回路
５０５  第２メモリカード
５０６  ＰＨＳ端末
５０７  動画像
６００  第１メモリカード
６０１  第２メモリカード
６０２  第３メモリカード
６０３  第４メモリカード
７００  音楽ＣＤ
７０１  音楽録音再生システム
７０３  音楽録音再生コントローラ
７０５  第１メモリカード
７０６  第２メモリカード
【図１】
2004258746.tif 000003
【図２】
2004258746.tif 000004
【図３】
2004258746.tif 000005
【図４】
2004258746.tif 000006
【図５】
2004258746.tif 000007
【図６】
2004258746.tif 000008
【図７】
2004258746.tif 000009
【図８】
2004258746.tif 000010